(57)【特許請求の範囲】
【請求項１】
引戸１側の錠ケースに取り付けられ、かつ、シリンダー４と共に回転するピニオン部材５及び鎌片６を備えた鎌錠３と、前記ピニオン部材５と噛合するように錠ケース２に上下動可能に内装され、かつ、端部に係合爪２２を有すると共に、ラックバネ２５により一方向に付勢されたラック部材２０と、戸枠２９に取り付けられた受け金具３３に設けられ、かつ、作動杆３５の突出端部に磁性体３６を備えたソレノイド３０と、このソレノイド３０の配設位置に対応して前記錠ケース２に軸支され、かつ、前記磁性体３６の極性に対応して反発する被磁性体４６を備えると共に後方アーム４５を有する回転係合体４０と、前記後方アーム４５とラック部材２０との間に位置するように錠ケース２に軸支され、かつ、バネ５１で常時後方アーム４５に当接するように付勢されていると共に、鎌錠３の解錠時に初期位置に戻ったラック部材を係止する回転係止部材５０と、前記被磁性体４６と鎌錠３との間に位置するように錠ケース２に枢支され、かつ、受け金具３３側に回転進入した鎌片６の回転を阻止する鎌錠ロック部材６０とから成り、前記ソレノイド３０が通電状態の場合に、反発回転した回転係合体４０の回転を介して回転係止部材５０がバネ５１のバネ力に抗して回転し、係止を解かれたラック部材がラックバネ２５のバネ力により移動するのに伴い鎌片６が受け金具３３側に回転進入し、該鎌片６は前記鎌錠ロック部材６０で自動的に回転が阻止されることを特徴とする非常口用電気ストライク。
【請求項２】
請求項１に於いて、鎌錠ロック部材６０は、反発回転した回転係合体４０の回転を介して回転し、鎌片６の小突起１２と係合することを特徴とする非常口用電気ストライク。
【請求項３】
請求項１に於いて、鎌錠３の鎌片６の掛合先端部の内側は、受け金具３３の開口３４の上側縁部と摺接するアール１０が形成されていることを特徴とする非常口用電気ストライク。
【請求項４】
引戸１Ａ側の錠ケースに取り付けられ、かつ、シリンダー４Ａと共に回転するピニオン部材５Ａ及び鎌片６Ａを備えた鎌錠３Ａと、前記ピニオン部材５Ａと噛合するように錠ケース２Ａに上下動可能に内装され、かつ、端部に係合爪２２Ａを有すると共に、ラックバネ２５Ａにより一方向に付勢されたラック部材２０Ａと、戸枠２９Ａに取り付けられた受け金具３３Ａ内に固定的に設けられた電磁石３６Ａと、この電磁石３６Ａの配設位置に対応して前記錠ケース２Ａに軸支され、かつ、電磁石３６Ａの極性に対応して反発する被磁性体４６Ａを備えると共に後方アーム４５Ａを有する回転係合体４０Ａと、前記後方アーム４５Ａとラック部材２０Ａとの間に位置するように錠ケース２Ａに軸支され、かつ、バネ５１Ａで常時後方アーム４５Ａに当接するように付勢されていると共に、鎌錠３Ａの解錠時に初期位置に戻ったラック部材２０Ａを係止する回転係止部材５０Ａと、前記被磁性体４６Ａと鎌錠３Ａとの間に位置するように錠ケース２Ａに枢支され、かつ、受け金具３３Ａ側に回転進入した鎌片６Ａの回転を阻止する鎌錠ロック部材６０Ａとから成り、前記電磁石３６Ａが通電状態の場合に、反発回転した回転係合体４０Ａの回転を介して回転係止部材５０Ａがバネ５１Ａのバネ力に抗して回転し、係止を解かれたラック部材２０Ａがラックバネ２５Ａのバネ力により移動するのに伴い鎌片６Ａが受け金具３３Ａ側に回転進入し、該鎌片６Ａは前記鎌錠ロック部材６０Ａで自動的に回転が阻止されることを特徴とする非常口用電気ストライク。
【発明の詳細な説明】
【０００１】
【発明の属する技術分野】
本発明は非常口用電気ストライクに関する。本発明は、例えば特別養護老人ホームや病院などの非常口用引戸に適する。
【０００２】
【従来の技術】
従来、特別養護老人ホームや病院などの非常口用引戸は、火災、緊急時等の非常時以外の時は施錠状態になっている場合が多い。しかして、非常口用引戸は、引戸を閉めた際に管理上の観点から確実に施錠すべきである反面、火災など非常事態の場合には、例えば遠隔制御装置の制御により、自動的に錠の施錠状態を解き、場合によってはキーがなくても引戸をあけることができることが望ましい。
【０００３】
【発明が解決しようとする課題】
しかしながら、従来、特別養護老人ホームや病院などの非常口用引戸に於いて、鎌錠を有する引戸を閉じた際に鎌錠を自動的にロックすることができ、一方、非常事態の場合に自動的に鎌錠のロック状態を解き、かつ、キーがなくても引戸をあけることができる非常口用電気ストライクが存在しない。
【０００４】
そこで、請求項１または請求項４記載の発明は、引戸を閉じた際に鎌錠を自動的に施錠（ロック）状態にすることができ、一方、火災など非常事態の場合に遠隔制御装置の制御により、自動的に鎌錠の施錠状態を解くことができると共に、キーがなくても直ちに引戸を開くことができる非常口用電気ストライクを提供することである。
【０００５】
【課題を解決するための手段】
本発明の非常口用電気ストライクは、引戸１側の錠ケースに取り付けられ、かつ、シリンダー４と共に回転するピニオン部材５及び鎌片６を備えた鎌錠３と、前記ピニオン部材５と噛合するように錠ケース２に上下動可能に内装され、かつ、端部に係合爪２２を有すると共に、ラックバネ２５により一方向に付勢されたラック部材２０と、戸枠２９に取り付けられた受け金具３３に設けられ、かつ、作動杆３５の突出端部に磁性体３６を備えたソレノイド３０と、このソレノイド３０の配設位置に対応して前記錠ケース２に軸支され、かつ、前記磁性体３６の極性に対応して反発する被磁性体４６を備えると共に後方アーム４５を有する回転係合体４０と、前記後方アーム４５とラック部材２０との間に位置するように錠ケース２に軸支され、かつ、バネ５１で常時後方アーム４５に当接するように付勢されていると共に、鎌錠３の解錠時に初期位置に戻ったラック部材を係止する回転係止部材５０と、前記被磁性体４６と鎌錠３との間に位置するように錠ケース２に枢支され、かつ、受け金具３３側に回転進入した鎌片６の回転を阻止する鎌錠ロック部材６０とから成り、前記ソレノイド３０が通電状態の場合に、反発回転した回転係合体４０の回転を介して回転係止部材５０がバネ５１のバネ力に抗して回転し、係止を解かれたラック部材がラックバネ２５のバネ力により移動するのに伴い鎌片６が受け金具３３側に回転進入し、該鎌片６は前記鎌錠ロック部材６０で自動的に回転が阻止されることを特徴とする。
【０００６】
上記構成に於いては、鎌錠３の鎌片６の掛合先端部の内側はアール１０に形成されている。また磁性体３６を備えたソレノイド３０に代え、電磁石３６Ａを錠ケース内に設けても良い。
【０００７】
【発明の実施の形態】
以下、図面に示す本発明の実施の形態を、非常口に於ける引戸の枠（縦框）に取り付けた鎌錠等を有する錠ケースと、前記鎌錠等に対する戸枠側に取り付けたソレノイドあるいは電磁石との関係で説明する。
【０００８】
まず図１ないし図６に基づき本発明の使用状態の一例について説明する。１は、例えば非常口の引戸である。この引戸１には、普通一般の引戸や引戸式の窓が含まれる。
【０００９】
次に２は引戸１の引戸枠内に固定的に装着された錠ケースで、この錠ケース２内には鎌錠３等が取り付けられている。鎌錠３は、本実施例では、キー又はサムターンで回動するシリンダー４と、このシリンダー４の外周部に一体的に設けられたピニオン部材５と、前記シリンダー４及びピニオン部材５に一体的に設けられた鎌片６とから成る。したがって、例えばキーでシリンダー４を回転操作すると、ピニオン部材５及び鎌片６もシリンダー４と一緒に回転する。
【００１０】
ところで、前記ピニオン部材５は、その環状部７の略半分側に合計６個の係合歯８を有している。一方、前記シリンダー４は、その外周部に１個の山形状カム突起９を半径方向に有し、このカム突起９の位置はピニオン部材５の前記係合歯８に対して所要の間隔（一端側の係合歯に対して略７０度）が設定されている。また前記鎌片６の掛合先端部の内側はアール１０に形成されていると共に、鎌片６の前記カム突起９寄りの後端部内側には、ストッパー面１１を有する小突起１２が設けられている。
【００１１】
次に２０はピニオン部材５と噛合するように錠ケース２に上下動可能に内装されたラック部材である。このラック部材２０はピニオン部材５の後方に縦方向に配設され、上端部寄りの部位から下端部に至って形成されたラック歯２１がピニオン部材５の係合歯８と噛合する。
【００１２】
ところで、ラック部材２０はラック歯２１を有する側の上端部に水平方向に突出する係合爪２２を有すると共に、内部に切欠あるいは空洞部状のバネ収納部２３が形成されている。しかして、ラック部材２０は、錠ケース２の内壁面に固定されたバネ支持片２４に上端部が取り付けられかつバネ収納部２３内に収納されたラックバネ２５により、常時下方方向に付勢されている。
【００１３】
次に３０は戸枠２９の外表面側に取り付けられたソレノイドである。このソレノイド３０の取り付け位置は、図２で示すように鎌片６が錠ケース２のフロント３１の開口３２及び戸枠２９側のボックス状受け金具３３の開口３４を介してそれぞれ受け金具３３内に回転進入する鎌錠３や後述する回転係合体との位置関係を考慮している。
【００１４】
しかして、ソレノイド３０は、本実施例では鎌片６の上方に位置するように受け金具３３内に縦方向に配設されていると共に、上下方向に伸縮動するソレノイド３０の作動杆３５の突出下端部には、磁性体３６が設けられている。そして、この磁性体３６はソレノイド３０が通電状態の場合に於いて、作動杆３５が上方方向に収縮すると、受け金具３３に形成した窓部３７に臨むことができる。
【００１５】
次に４０はソレノイド３０と対向するように錠ケース２内の鎌錠３よりも上方に配設された回転係合体である。この回転係合体４０は、本実施例では錠ケース２に横軸４１を介して枢支され、かつ、図２を基準にすると回転板用バネ４２で時計方向に付勢された回転板４３と、この回転板４３に下方方向に延設するように設けられた前方アーム４４と、この前方アーム４４に対向するように回転板４３に設けられた後方アーム４５と、前記前方アーム４４の下端部に固定的に設けられ、かつ、ソレノイド側の磁性体３６の極性に対応して反発する被磁性体４６とから成る。前記後方アーム４５は前方アーム４４よりも多少長く、またこれらのアーム４４、４５は回転板４３に一体的に設けられている。
【００１６】
次に５０は回転係合体４０の後方アーム４５と前述したラック部材２０との間に位置するように錠ケース２に枢支され、かつ、ラック部材２０を係止する回転係止部材である。この回転係止部材５０は、回転係止部材用バネ５１により、常時一方向に付勢されている。
【００１７】
しかして、回転係止部材５０は、軸筒部５２と、この軸筒部５２から回転係合体４０の後方アーム４５の端部に当接可能に延びた当接アーム５３と、この当接アーム５３に対して角度方向に延びかつラック部材２０の係合爪２２と係脱する係止アーム５４とから成る。
【００１８】
次に６０は回転係合体４０の前方アーム４４と鎌錠３との間に位置するように錠ケース２に枢支され、かつ、ソレノイド３０が通電状態の場合に受け金具３３側に回転進入した鎌片６の回転を阻止する鎌錠ロック部材である。
【００１９】
この鎌錠ロック部材６０は、回転して鎌片６の小突起１２と係脱するロック機能を有し、フロント３１の開口３２の付近で枢支ピンによって枢支された軸筒部６２と、この軸筒部６２から回転係合体４０の前方アーム４４の被磁性体４６に当接可能に延びた長杆部６３と、この長杆部６３に対して角度方向に延びかつ鎌片６の小突起１２と係合する短杆部６４とから成る。
【００２０】
次に６５は鎌錠ロック部材６０の短杆部６４の係合を解除させる鎌錠ロック部材用の係合解除部材である。この係合解除部材６５はバネ６６により常時一方向に付勢されている。しかして、この係合解除部材６５は、鎌錠３のシリンダー４のカム突起９及び鎌錠ロック部材６０の長杆部６３とそれぞれ関わり合うように鎌錠３の上方でかつ鎌錠ロック部材６０よりも内側に枢支された軸筒部６７と、この軸筒部６７から鎌錠ロック部材６０の長杆部６３の下部寄りの部位に当接するように延びた押出し部６８と、この押出し部６８に対して角度方向に延びかつシリンダー４のカム突起９と係脱する被押出し部６９とから成る。
【００２１】
上記構成に於て、まず図５がソレノイド３０が非通電の場合に於いて、キーを用いて鎌錠の掛合を解消した状態を示す。この非通電時の状態は、停電時はもちろんであるが、例えば火災など非常時の場合に遠隔制御装置の制御によりなされる。
【００２２】
しかして、非通電時の状態になると、ソレノイド３０の作動杆３５が下方方向へ伸び、その磁性体３６が回転係合体４０の被磁性体４６から離れる。そうすると、回転係合体４０はバネ４２のバネ力により時計方向に回転する。この時その前方アーム４４の被磁性体４６はフロント３１の窓部１４に接近するため、鎌錠ロック部材６０は、バネ６６で付勢されている係合解除部材６５の押出し部６８に押され、反時計方向に回転する。その結果、鎌錠ロック部材６０の短杆部６４は鎌片６の小突起１２から離れる。一方、回転係合体４０の後方アーム４５も鎌錠ロック部材６０と共に同じ方向へ回転するので、回転係止部材５０もそのバネ５１のバネ力により反時計方向へと所定量回転し、その係止アーム５４は略水平状態になる。
【００２３】
そこで、鎌錠３のシリンダー４にキーを挿入し、シリンダー４を回転すると、シリンダー４と共にピニオン部材５も反時計方向に回転するので、ラック部材２０はラックバネ２５のバネ力に抗して初期位置へと移動し、最終的にはラック部材２０はその係合爪２２を介して回転係止部材５０に係止される。そして、鎌片６は受け金具３３の開口３４から完全に離れる。
【００２４】
なお、ラック部材２０の係合爪２２が回転係止部材５０の係止アーム５４に係止される際には、係合爪２２が係止アーム５４を一旦押し上げる格好になるので、回転係合体４０はこれに対応して一時的に時計方向へ多少回転する。
【００２５】
ところで、上記の場合は鎌錠３のシリンダー４にキーを挿入してシリンダー４を回転した場合の説明であるが、本発明ではそのまま引戸１を開くこともできる。すなわち、図４で示すように非通電時の状態の場合に引戸１を力一杯開こうとすると、鎌片６のアール１０が受け金具３３の開口３４の上側縁部と摺接するため、鎌錠のシリンダー４並びにピニオン部材５は、引戸１の開き具合に追従して回転し、ラック部材２０が上方に移動する。したがって、火災など非常時の場合、遠隔制御装置の制御によりソレノイド３０が非通電状態であれば、キーがなくても直ちに引戸１を開くことができる。
【００２６】
次に図２が通電（施錠）の状態であり、鎌錠３の鎌片６が自動的に受け金具３３に掛合し、かつ、鎌錠ロック部材６０でロックされた場合を示す。
【００２７】
しかして、遠隔制御装置の制御によりソレノイド３０が通電時の状態になると、ソレノイド３０の作動杆３５が収縮し、その磁性体３６が受け金具３３の窓部３７へと移動し、回転係合体４０の被磁性体４６に接近する。
【００２８】
そうすると、回転係合体４０はバネ４２のバネ力に抗して反時計方向に回転する。この時その前方アーム４４の被磁性体４６はフロント３１の窓部１４から離れるため、鎌錠ロック部材６０は時計方向へ回転する。一方、回転係合体４０の後方アーム４５も鎌錠ロック部材６０と共に同じ方向へ回転するので、回転係止部材５０はバネ５１のバネ力に抗して時計方向へ回転する。そうすると、ラック部材２０は回転係止部材５０から解放され、ラックバネ２５のバネ力により下降する。その結果、ピニオン部材５並びにシリンダー４が時計方向に回転し、鎌錠３の鎌片６は受け金具３３の開口３４に進入する。この時シリンダー４のカム突起９は、係合解除部材６５の被押し出し部６９に摺接して越える。また鎌錠ロック部材６０の短杆部６４は鎌片６の小突起１２のストッパー面１１と係合可能な状態に対向する。したがって、鎌錠３が鎌錠ロック部材６０でロックされているため、引戸１を開けることができない。
【００２９】
【実施例】
以下、通電により自動的に施錠することができる非常口用電気ストライクの実施例を列挙する。なお、実施例の説明に於いては、図面に発明の実施の形態で説明した符号をそのまま付し、あるいは同様の符号を付し、重複する説明を省略する。
【００３０】
まず図２ないし図６に基づき、本発明の実施の形態で説明した第１実施例を説明する。この第１実施例の非常口用電気ストライクは、引戸１に固定的に装着された錠ケース２と、この錠ケースに取り付けられ、かつ、シリンダー４と共に回転するピニオン部材５及び鎌片６を備えた鎌錠３と、前記ピニオン部材５と噛合するように錠ケース２に上下動可能に内装され、かつ、上端部に係合爪２２を有すると共に、ラックバネ２５により下方方向に付勢されたラック部材２０と、戸枠２９に取り付けられた受け金具３３に設けられ、かつ、作動杆３５の突出下端部に磁性体３６を備えたソレノイド３０と、このソレノイド３０の配設位置に対応して前記錠ケース２に軸支され、かつ、回転板４３に一体的に設けられた前方アーム４４の下端部に前記磁性体３６の極性に対応して反発する被磁性体４６を備えると共に後方アーム４５を有する回転係合体４０と、前記後方アーム４５とラック部材２０との間に位置するように錠ケース２に軸支され、かつ、バネ５１で常時後方アーム４５に当接するように付勢されていると共に、鎌錠３の解錠時に初期位置に戻ったラック部材２０を係止する回転係止部材５０と、前記被磁性体４６と鎌錠３との間に位置するように錠ケース２に枢支され、かつ、受け金具３３側に回転進入した鎌片６の回転を阻止する鎌錠ロック部材６０とから成る。
【００３１】
そして、前記鎌錠ロック部材６０は、反発回転した回転係合体４０の回転を介して回転し、鎌片６の小突起１２と係合する。しかして、具体的な細部の構成は、発明の実施の形態で詳細に説明したので省略する。
【００３２】
次に図７及び図８は第２実施例の非常口用電気ストライクである。この非常口用電気ストライクは、引戸１Ａに固定的に装着された錠ケース２Ａと、この錠ケースに取り付けられ、かつ、シリンダー４Ａと共に回転するピニオン部材５Ａ及び鎌片６Ａを備えた鎌錠３Ａと、前記ピニオン部材５Ａと噛合するように錠ケース２Ａに上下動可能に内装され、かつ、端部に係合爪２２Ａを有すると共に、ラックバネ２５Ａにより一方向に付勢されたラック部材２０Ａと、戸枠２９Ａに取り付けられた受け金具３３Ａ内に固定的に設けられた電磁石３６Ａと、この電磁石３６Ａの配設位置に対応して前記錠ケース２Ａに軸支され、かつ、電磁石３６Ａの極性に対応して反発する被磁性体４６Ａを備えると共に後方アーム４５Ａを有する回転係合体４０Ａと、前記後方アーム４５Ａとラック部材２０Ａとの間に位置するように錠ケース２Ａに軸支され、かつ、バネ５１Ａで常時後方アーム４５Ａに当接するように付勢されていると共に、鎌錠３Ａの解錠時に初期位置に戻ったラック部材２０Ａを係止する回転係止部材５０Ａと、前記被磁性体４６Ａと鎌錠３Ａとの間に位置するように錠ケース２Ａに枢支され、かつ、受け金具３３Ａ側に回転進入した鎌片６Ａの回転を阻止する鎌錠ロック部材６０Ａとから成る。
【００３３】
そして、前記電磁石３６Ａが通電状態の場合に、反発回転した回転係合体４０Ａの回転を介して回転係止部材５０Ａがバネ５１Ａのバネ力に抗して回転し、係止を解かれたラック部材２０Ａがラックバネ２５Ａのバネ力により移動するのに伴い鎌片６Ａが受け金具３３Ａ側に回転進入し、該鎌片６Ａは前記鎌錠ロック部材６０Ａで自動的に回転が阻止される。
【００３４】
したがって、この第２実施例は、作動杆の突出先端部に磁性体を有するソレノイドに代えて電磁石３６Ａにした点が第１実施例と異なる。
【００３５】
【発明の効果】
以上の説明から明らかなように、本発明にあっては次に列挙するような効果がある。
（１）引戸を閉じた際に戸枠側に取り付けたソレノイドあるいは電磁石に通電すると、ラック部材が移動し、これにより鎌錠を自動的に施錠（ロック）状態にすることができる。
（２）一方、火災など非常事態の場合に遠隔制御装置の制御により、自動的に鎌錠の施錠状態を解くことができると共に、キーがなくても直ちに引戸を開くことができる。
【図面の簡単な説明】
図１ないし図６は本発明の実施の形態を説明するための各説明図。特に図２ないし図６は本発明の第１実施例の各説明図。図７及び図８は本発明の第２実施例を示す各説明図。
【図１】第１実施例を用いた実施の形態を説明するための説明図（通電状態の場合）。
【図２】図１に於ける第１実施例の概略説明図（通電状態の場合）。
【図３】図１に於ける第１実施例の概略説明図（非通電状態の場合）。
【図４】図３に於いて、引戸を開いた場合の概略説明図。
【図５】図３に於いて、キーを用いて鎌片の掛け合わせを解き、ラック部材を初期位置へ戻した概略説明図。
【図６】鎌錠と鎌錠ロック部材との関係を示す概略説明図。
【図７】第２実施例の概略説明図（通電状態の場合）。
【図８】第２実施例の概略説明図（非通電状態の場合）
【符号の説明】
１…引戸、２…錠ケース、３…鎌錠、４…シシリンダー、５…ピニオン部材、
６…鎌片、９…カム突起、１０…アール、１２…小突起、
２０…ラック部材、２２…係合爪、２５…ラックバネ、２９…戸枠、
３０…ソレノイド、３１…フロント、３２、３４…開口、３３…受け金具、
３５…作動杆、３６…磁性体、３６Ａ…電磁石、１４、３７…窓部、
４０…回転係合体、４２…回転係合体用バネ、４４…前方アーム、
４５…後方アーム、４６…被磁性体、５０…回転係止部材、
５１…回転係止部材用バネ、５３…当接アーム、５４…係止アーム、
６０…鎌錠ロック部材、６５…係合解除部材。
【図１】
0003587911.tif 000002
【図２】
0003587911.tif 000003
【図３】
0003587911.tif 000004
【図４】
0003587911.tif 000005
【図５】
0003587911.tif 000006
【図６】
0003587911.tif 000007
【図７】
0003587911.tif 000008
【図８】
0003587911.tif 000009